(57)【要約】【課題】車両の適切な消耗品の選択を容易にすることができる消耗品管理システムを提供する。【解決手段】自動車検査証に記載された二次元コードを読み取るカメラ３２と、カメラ３２によって読み取られた二次元コードから、車両の型式を示す型式情報を取得する型式情報取得部３１１と、型式情報と、その型式情報で示される型式の車両に用いられる消耗品に関する消耗品情報とを対応付ける対応情報２２１を予め記憶する対応情報記憶部２２と、対応情報２２１に基づいて、型式情報取得部３１１によって取得された型式情報と対応付けられた消耗品情報を適正消耗品情報として取得する適正消耗品情報取得部２１１と、画像を表示するタッチパネルディスプレイ３３と、適正消耗品情報をタッチパネルディスプレイ３３に表示させる表示処理部３１２とを備えた。【選択図】図２
2018128774.tif 000002
【特許請求の範囲】
【請求項１】
自動車検査証に記載された二次元コードを読み取る読取部と、
前記読取部によって読み取られた二次元コードから、車両の型式を示す型式情報を取得する型式情報取得部と、
前記型式情報と、その型式情報で示される型式の車両に用いられる消耗品に関する消耗品情報とを対応付ける対応情報を予め記憶する対応情報記憶部と、
前記対応情報に基づいて、前記型式情報取得部によって取得された型式情報と対応付けられた消耗品情報を適正消耗品情報として取得する適正消耗品情報取得部と、
画像を表示する表示装置と、
前記適正消耗品情報を前記表示装置に表示させる表示処理部とを備える消耗品管理システム。
【請求項２】
前記読取部及び前記表示装置を含む端末装置と、
前記対応情報記憶部及び前記適正消耗品情報取得部を含むサーバ装置とを含み、
前記端末装置は、前記二次元コード又は前記型式情報を前記サーバ装置へ送信し、
前記サーバ装置は、前記適正消耗品情報を前記端末装置へ送信する請求項１記載の消耗品管理システム。
【請求項３】
前記表示処理部は、前記適正消耗品情報で示される消耗品を含む複数の消耗品を選択可能に前記表示装置に表示させると共に、前記適正消耗品情報で示される消耗品を選択容易にするように前記表示装置によって表示させる請求項１又は２記載の消耗品管理システム。
【請求項４】
前記表示処理部は、前記表示装置に表示させた複数の消耗品のうち、前記適正消耗品情報で示される消耗品を推奨する旨の推奨表示を前記表示装置に表示させることによって、前記適正消耗品情報で示される消耗品を選択容易にする請求項３記載の消耗品管理システム。
【請求項５】
前記表示処理部は、前記表示装置に表示させた複数の消耗品のうち、前記適正消耗品情報で示される消耗品を予め選択された状態で前記表示装置に表示させることによって、前記適正消耗品情報で示される消耗品を選択容易にする請求項３記載の消耗品管理システム。
【請求項６】
前記消耗品情報は、前記消耗品の価格を示す価格情報を含み、
前記表示処理部は、前記表示装置によって、前記適正消耗品情報で示される消耗品を選択可能に表示させ、
前記消耗品管理システムは、選択された前記消耗品の消耗品情報に含まれる価格情報の合計金額を算出する金額算出部をさらに備え、
前記表示処理部は、前記表示装置によって、前記合計金額を表示させる請求項１〜５のいずれか１項に記載の消耗品管理システム。
【請求項７】
店舗に在庫されている前記消耗品の数を示す在庫情報を記憶する在庫記憶部と、
前記選択された消耗品情報で示される消耗品の購入指示を受け付ける購入指示受付部と、
前記購入指示が受け付けられた場合、前記選択された消耗品情報で示される消耗品の数を、前記在庫情報から減算する在庫処理部とをさらに備える請求項６記載の消耗品管理システム。
【発明の詳細な説明】
【技術分野】
【０００１】
本発明は、車両の適切な消耗品を表示するための消耗品管理システムに関する。
【背景技術】
【０００２】
従来より、自動車検査証に印字されている二次元コードを読み取ることによって、自動車検査に係る書類の作成を支援するシステムが知られている（例えば、特許文献１参照。）。このシステムによれば、自動車検査に係る書類の作成工数が削減されるので、自動車検査登録制度に係る自動車検査の手間を省くことができる。
【先行技術文献】
【特許文献】
【０００３】
【特許文献１】特許第５７９５１３２号公報
【発明の概要】
【発明が解決しようとする課題】
【０００４】
ところで、車両を安全に運行するために、定期的に交換する必要のある消耗品がある。消耗品としては、例えばエンジンオイル、オイルフィルタ、バッテリなどがある。これらの消耗品には種々の種類（仕様）があり、車両の型式毎に、その型式の車両に適した消耗品に交換する必要がある。そのため、消耗品の推奨の種類（仕様）、例えば、エンジンオイルであれば粘度、バッテリであれば性能ランク（バッテリー容量）やサイズなどの種類（仕様）が、車両の型式毎に定められている。
【０００５】
これらの消耗品を、ガソリンスタンドや自動車用品店などで交換する場合、その車両に適した消耗品を、バッテリなどでは現状車両に取り付けられているものをボンネットを開けて確認したり、オイルなど見てもわからないものは店員の経験によって選択したりしていた。そのため、消耗品の交換に手間がかかったり、交換に経験が必要とされたりするという、不都合があった。
【０００６】
本発明の目的は、車両の適切な消耗品の選択を容易にすることができる消耗品管理システムを提供することである。
【課題を解決するための手段】
【０００７】
本発明に係る消耗品管理システムは、自動車検査証に記載された二次元コードを読み取る読取部と、前記読取部によって読み取られた二次元コードから、車両の型式を示す型式情報を取得する型式情報取得部と、前記型式情報と、その型式情報で示される型式の車両に用いられる消耗品に関する消耗品情報とを対応付ける対応情報を予め記憶する対応情報記憶部と、前記対応情報に基づいて、前記型式情報取得部によって取得された型式情報と対応付けられた消耗品情報を適正消耗品情報として取得する適正消耗品情報取得部と、画像を表示する表示装置と、前記適正消耗品情報を前記表示装置に表示させる表示処理部とを備える。
【０００８】
この構成によれば、自動車検査証に記載された二次元コードを読み込むだけで、その二次元コードで示される車両と対応付けられた消耗品を示す適正消耗品情報が取得され、その適正消耗品情報が表示されるので、車両の適切な消耗品の選択が容易となる。
【０００９】
また、前記読取部及び前記表示装置を含む端末装置と、前記対応情報記憶部及び前記適正消耗品情報取得部を含むサーバ装置とを含み、前記端末装置は、前記二次元コード又は前記型式情報を前記サーバ装置へ送信し、前記サーバ装置は、前記適正消耗品情報を前記端末装置へ送信することが好ましい。
【００１０】
この構成によれば、二次元コードを読み込んだり適正消耗品情報を表示したりする端末装置とは別にサーバ装置が設けられる。そして、サーバ装置に対応情報記憶部が設けられているので対応情報の管理が容易である。そして、サーバ装置で適正消耗品情報取得部によって適正消耗品情報が取得されるので、端末装置の処理負荷が低減され、端末装置として例えばタブレット端末のような処理能力の低い装置を用いることが容易になる。
【００１１】
また、前記表示処理部は、前記適正消耗品情報で示される消耗品を含む複数の消耗品を選択可能に前記表示装置に表示させると共に、前記適正消耗品情報で示される消耗品を選択容易にするように前記表示装置によって表示させることが好ましい。
【００１２】
この構成によれば、適正消耗品情報で示される消耗品以外の消耗品も選択可能にしつつ、適正消耗品情報で示される消耗品の選択が容易となる。
【００１３】
また、前記表示処理部は、前記表示装置に表示させた複数の消耗品のうち、前記適正消耗品情報で示される消耗品を推奨する旨の推奨表示を前記表示装置に表示させることによって、前記適正消耗品情報で示される消耗品を選択容易にすることが好ましい。
【００１４】
この構成によれば、適正消耗品情報で示される消耗品に対して推奨表示がされるので、適正消耗品情報で示される消耗品を選択することが容易になる。
【００１５】
また、前記表示処理部は、前記表示装置に表示させた複数の消耗品のうち、前記適正消耗品情報で示される消耗品を予め選択された状態で前記表示装置に表示させることによって、前記適正消耗品情報で示される消耗品を選択容易にするようにしてもよい。
【００１６】
この構成によれば、適正消耗品情報で示される消耗品が予め選択された状態で表示されるので、適正消耗品情報で示される消耗品を選択することが容易になる。
【００１７】
また、前記消耗品情報は、前記消耗品の価格を示す価格情報を含み、前記表示処理部は、前記表示装置によって、前記適正消耗品情報で示される消耗品を選択可能に表示させ、前記消耗品管理システムは、選択された前記消耗品の消耗品情報に含まれる価格情報の合計金額を算出する金額算出部をさらに備え、前記表示処理部は、前記表示装置によって、前記合計金額を表示させることが好ましい。
【００１８】
この構成によれば、自動車検査証に記載された二次元コードを読み込むだけで、その車両に適した消耗品を容易に選択することができ、その購入金額が自動的に計算される結果、利便性が向上する。
【００１９】
また、店舗に在庫されている前記消耗品の数を示す在庫情報を記憶する在庫記憶部と、前記選択された消耗品情報で示される消耗品の購入指示を受け付ける購入指示受付部と、前記購入指示が受け付けられた場合、前記選択された消耗品情報で示される消耗品の数を、前記在庫情報から減算する在庫処理部とをさらに備えることが好ましい。
【００２０】
この構成によれば、各店舗は、消耗品管理システムを用いて消耗品の販売を行うことによって、各店舗の在庫管理を自動的に行うことが可能になる。
【発明の効果】
【００２１】
このような構成の消耗品管理システムは、車両の適切な消耗品の選択を容易にすることができる。
【図面の簡単な説明】
【００２２】
【図１】本発明の一実施形態に係る消耗品管理システムの構成の一例を示すブロック図である。
【図２】図１に示す消耗品管理システムの電気的構成の一例を示すブロック図である。
【図３】カメラによる二次元コードの読取操作時にタッチパネルディスプレイに表示される表示画面の一例である読取画面を示す画面図である。
【図４】タッチパネルディスプレイに表示される車両情報の表示画面の一例を示す画面図である。
【図５】商品種別選択画面の一例を示す画面図である。
【図６】オイルを選択するためのオイル選択画面の一例を示す画面図である。
【図７】オイルフィルタを選択するためのオイルフィルタ選択画面の一例を示す画面図である。
【図８】購入商品の見積金額を表示する見積金額画面の一例を示す画面図である。
【図９】図１に示す消耗品管理システムの動作の一例を示すフローチャートである。
【発明を実施するための形態】
【００２３】
以下、本発明に係る実施形態を図面に基づいて説明する。なお、各図において同一の符号を付した構成は、同一の構成であることを示し、その説明を省略する。図１は、本発明の一実施形態に係る消耗品管理システムの構成の一例を示すブロック図である。図１に示す消耗品管理システム１は、サーバ装置２と、複数のタブレット端末３Ａ，３Ｂ，３Ｃ（端末装置）とが、ネットワーク４を介してデータ送受信可能に接続されて構成されている。
【００２４】
タブレット端末３Ａ，３Ｂ，３Ｃは、ガソリンスタンドＡ，Ｂ，Ｃ（店舗）にそれぞれ設置されている。以下、タブレット端末３Ａ，３Ｂ，３Ｃを総称してタブレット端末３と称する。なお、店舗の一例としてガソリンスタンドを示したが、店舗はガソリンスタンドに限らない。店舗は、車両の消耗品を取り扱う店舗であればよい。
【００２５】
ネットワーク４は、例えばインターネット、公衆電話回線、移動体通信網、ＬＡＮ（Local Area Network）等、種々の通信手段であってもよく、これらの通信手段が組み合わされていてもよく、有線、無線、あるいは有線と無線とが組み合わされて構成されていてもよい。
【００２６】
図２は、図１に示す消耗品管理システム１の電気的構成の一例を示すブロック図である。図２に示すサーバ装置２は、制御部２１、対応情報記憶部２２、在庫記憶部２４、及び通信回路２５を備えている。通信回路２５は、ネットワーク４を介してタブレット端末３と通信を行うための通信回路である。
【００２７】
制御部２１は、例えば、所定の演算処理を実行するＣＰＵ（Central Processing Unit）、所定の制御プログラムを記憶するＨＤＤ（Hard Disk Drive）、ＳＳＤ（Solid State Drive）等の不揮発性の記憶部、一時的にデータを記憶するＲＡＭ（Random Access Memory）、及びそれらの周辺回路等を備えて構成されている。そして、制御部２１は、所定の制御プログラムを実行することによって、適正消耗品情報取得部２１１、及び在庫処理部２１３として機能する。
【００２８】
対応情報記憶部２２、及び在庫記憶部２４は、例えばＨＤＤやＳＳＤ等の記憶装置によって構成されている。なお、上述の記憶部、対応情報記憶部２２、及び在庫記憶部２４は、同一の記憶装置によって構成されていてもよく、複数の記憶装置によって構成されていてもよい。
【００２９】
対応情報記憶部２２には、型式情報と、その型式情報で示される型式の車両に用いられる消耗品に関する消耗品情報とを対応付ける対応情報２２１が予め記憶されている。対応情報２２１は、いわゆるＬＵＴ（look-up table）として構成されている。消耗品情報としては、例えばエンジンオイルの粘度に関するＳＡＥ（Society of Automotive Engineers）規格、エンジンオイルの容量、オイルフィルタの品番、バッテリの形式（例えばＪＩＳ形式）等がある。
【００３０】
在庫記憶部２４には、ガソリンスタンドＡに在庫されている消耗品の種類と個数とを示す在庫情報２４１Ａ、ガソリンスタンドＢに在庫されている消耗品の種類と個数とを示す在庫情報２４１Ｂ、及びガソリンスタンドＣに在庫されている消耗品の種類と個数とを示す在庫情報２４１Ｃとが記憶されている。以下、在庫情報２４１Ａ，２４１Ｂ，２４１Ｃを総称し、在庫情報２４１と称する。
【００３１】
適正消耗品情報取得部２１１は、対応情報記憶部２２をアクセスし、対応情報２２１に基づいて、タブレット端末３から送信された型式情報と対応付けられた消耗品情報を適正消耗品情報として取得する。そして、適正消耗品情報取得部２１１は、適正消耗品情報を、上記型式情報の送信元のタブレット端末３へ、通信回路２５によって送信させる。
【００３２】
在庫処理部２１３は、通信回路２５によって、タブレット端末３から、購入（選択）された消耗品（消耗品情報）とその数量を示す情報が受信された場合、在庫記憶部２４に記憶された、その送信元のタブレット端末３が設置されている店舗の在庫情報２４１から、その購入（選択）された消耗品（消耗品情報）の数量を減算する。
【００３３】
在庫処理部２１３には、タブレット端末３Ａ，３Ｂ，３Ｃのアドレス等の識別情報と、各タブレット端末３が設置されているガソリンスタンドＡ，Ｂ，Ｃとを対応付ける情報が予め記憶されており、購入（選択）された消耗品（消耗品情報）とその数量を示す情報の送信元のタブレット端末３の識別情報から、そのタブレット端末３が設置されている店舗を特定可能にされている。なお、タブレット端末３は、自機が設置されている店舗を示す情報と共に、種々の情報をサーバ装置２へ送信するようにしてもよい。
【００３４】
タブレット端末３は、制御部３１、カメラ３２（読取部）、タッチパネルディスプレイ３３（表示装置、操作受付部）、及び通信回路３４を備えている。通信回路３４は、ネットワーク４を介してサーバ装置２と通信を行うための通信回路である。通信回路３４としては、例えば移動体通信網にアクセス可能な無線通信回路や、無線ＬＡＮにアクセス可能なＷｉＦｉ（Wireless Fidelity）等の無線通信回路を好適に用いることができる。
【００３５】
カメラ３２は、例えばＣＣＤ（Charge Coupled Device）やＣＭＯＳ（Complementary Metal Oxide Semiconductor）撮像素子を用いて構成されている。カメラ３２は、自動車検査証に記載された二次元コードを撮像することにより読み取り可能にされている。日本国の国土交通大臣が交付する自動車検査証には、二次元コードとしてＱＲコード（登録商標）が記載されている。
【００３６】
自動車検査証に記載された二次元コードは、対象となる車両の型式、登録日、車検満了日、ナンバー（自動車登録番号又は車両番号）、燃料の種別、車両重量、車両総重量、原動機の型式、型式指定番号、類別区分番号、及び車台番号等の情報を表している。
【００３７】
なお、読取部の一例として二次元画像を撮像するカメラを示したが、読取部はカメラに限らない。読取部は、例えば、レーザー光で二次元コードをスキャンすることによって二次元コードを読み取る読取装置であってもよい。また、読取部は、自動車検査証に記載された二次元コードを読み取ることができればよく、自動車検査証にＱＲコード（登録商標）以外の二次元コードが用いられた場合には、その二次元コードを読み取り可能であればよい。ＱＲコード（登録商標）以外の二次元コードとしては、例えば、ＰＤＦ４１７、ＤａｔａＭａｔｒｉｘ、ＭａｘｉＣｏｄｅ等が挙げられる。
【００３８】
タッチパネルディスプレイ３３は、例えば液晶表示パネルやＥＬ（Electro-Luminescence）表示パネル等の表示装置と、その表示画面へのユーザのタッチ操作を検出するタッチパネルとが組み合わされて構成されている。タッチパネルディスプレイ３３は、表示装置の一例と操作受付部の一例とを兼ねている。しかしながら、タッチパネルディスプレイ３３の代わりに、例えば液晶表示装置等のディスプレイ装置を用い、操作受付部として例えばマウスやキーボード等の操作入力装置を用いてもよい。
【００３９】
制御部３１は、例えば、所定の演算処理を実行するＣＰＵ、所定の制御プログラムを記憶するＨＤＤ、ＳＳＤ等の不揮発性の記憶部、一時的にデータを記憶するＲＡＭ、及びそれらの周辺回路等を備えて構成されている。そして、制御部３１は、所定の制御プログラムを実行することによって、型式情報取得部３１１、表示処理部３１２、金額算出部３１３、及び購入指示受付部３１４として機能する。
【００４０】
型式情報取得部３１１は、カメラ３２によって読み取られた二次元コードから、車両の型式を示す型式情報を取得する。
【００４１】
表示処理部３１２は、適正消耗品情報取得部２１１によって送信され、通信回路３４で受信された適正消耗品情報を、タッチパネルディスプレイ３３に選択可能に表示させる。
【００４２】
金額算出部３１３は、ユーザによって選択された、適正消耗品情報その他の消耗品情報に含まれる価格情報の合計金額を算出する。
【００４３】
購入指示受付部３１４は、ユーザによって選択された、適正消耗品情報その他の消耗品情報で示される消耗品の購入指示を受け付ける。また、購入指示受付部３１４は、購入を受け付けた消耗品を示す情報、及びその購入数量を示す情報を、通信回路３４によって、ネットワーク４を介してサーバ装置２へ送信させる。
【００４４】
以後、説明を簡単にするため、制御部３１が、通信回路３４によってネットワーク４を介してサーバ装置２へ送信させる動作を単に、制御部３１がサーバ装置２へ送信すると記載し、制御部２１が、通信回路２５によってネットワーク４を介してタブレット端末３へ送信させる動作を単に、制御部２１がタブレット端末３へ送信すると記載する。
【００４５】
図３〜図８は、図１に示す消耗品管理システム１の動作を説明するための説明図である。図９は、図１に示す消耗品管理システム１の動作の一例を示すフローチャートである。
【００４６】
まず、顧客が車をガソリンスタンドに持ち込んだ場合、ユーザ、例えば店舗の従業員又は顧客が、タブレット端末３のカメラ３２によって、その車の自動車検査証に記載された二次元コードを撮影して読み取らせる（ステップＳ１）。
【００４７】
図３は、カメラ３２による二次元コードの読取操作時にタッチパネルディスプレイ３３に表示される表示画面の一例である読取画面Ｇ１を示す画面図である。
【００４８】
読取画面Ｇ１には、表示処理部３１２によって、カメラ３２により撮影されている画像を示す撮像画面Ｇ１１、及びユーザに対して二次元コードの読取操作を案内する操作ガイド表示Ｇ１２が表示されている。
【００４９】
読取画面Ｇ１が表示された状態で、撮像画面Ｇ１１に自動車検査証の二次元コードが表示されるようにユーザがカメラ３２を二次元コードに向けて、ユーザが撮像画面Ｇ１１をタッチすると、カメラ３２によって二次元コードが撮像され、型式情報取得部３１１によって、撮影された二次元コードから車両の型式情報を含む車両情報が取得される（ステップＳ２）。型式情報取得部３１１は、取得した車両情報を、タッチパネルディスプレイ３３に表示させる。
【００５０】
図４は、タッチパネルディスプレイ３３に表示される車両情報の表示画面の一例を示す画面図である。図４に示す表示画面Ｇ２には、型式情報取得部３１１によって取得された車両情報Ｇ２１が表示されている。車両情報Ｇ２１には、型式、登録日、車検満了日、ナンバー、燃料の種別、車両重量、車両総重量、原動機の型式、型式指定番号、類別区分番号、及び車台番号が含まれている。
【００５１】
また、型式情報取得部３１１は、取得した型式情報をサーバ装置２へ送信する（ステップＳ３）。このとき、型式情報以外の情報を含む車両情報をサーバ装置２へ送信し、ユーザの車両の情報としてサーバ装置２で記憶、管理するようにしてもよい。
【００５２】
サーバ装置２では、通信回路２５によって型式情報が受信された場合、適正消耗品情報取得部２１１は、対応情報記憶部２２をアクセスし、対応情報２２１に基づいて、タブレット端末３から送信された型式情報と対応付けられた消耗品情報を適正消耗品情報として取得する（ステップＳ４）。
【００５３】
例えば、タブレット端末３から送信された型式情報が「ＸＸＸ−ＸＸＸ」であった場合、適正消耗品情報取得部２１１は、対応情報２２１によって型式情報「ＸＸＸ−ＸＸＸ」と対応付けられた消耗品情報を適正消耗品情報として取得する。以下、消耗品がエンジンオイルである消耗品情報を消耗品情報（エンジンオイル）、消耗品がオイルフィルタである消耗品情報を消耗品情報（オイルフィルタ）、消耗品がトランスミッションオイルである消耗品情報を消耗品情報（トランスミッションオイル）、消耗品がバッテリである消耗品情報を消耗品情報（バッテリ）と表記する。
【００５４】
以下、対応情報２２１によって、型式情報「ＸＸＸ−ＸＸＸ」と、下記の消耗品情報（エンジンオイル）、消耗品情報（オイルフィルタ）、消耗品情報（トランスミッションオイル）、消耗品情報（バッテリ）が対応付けられている場合を例に、説明する。また、各消耗品情報で示される消耗品には、それぞれ価格情報が対応付けられている。以下の説明では、価格情報を括弧書きで記載している。
・消耗品情報（エンジンオイル）・・・「推奨粘度：５Ｗ−２０」（ＸＸＸ円／Ｌ）、「推奨粘度：０Ｗ−２０」（ＸＸＸ円／Ｌ）、「スポーツ対応：０Ｗ−５０」（ＸＸＸ円／Ｌ）、「油量Ｌ：５．９０」
・消耗品情報（オイルフィルタ）・・・「純正フィルタ：ＦＩＬ−ＸＸＸ」（ＸＸＸ円）、「フィルタ：ＥＯ−１０」（ＸＸＸ円）
・消耗品情報（トランスミッションオイル）：「駆動系推奨：ＡＴＦ」（ＸＸＸ円／Ｌ）
・消耗品情報（バッテリ）：「７５Ｄ２３Ｒ」（ＸＸＸＸ円）
【００５５】
適正消耗品情報取得部２１１は、タブレット端末３から送信された型式情報が「ＸＸＸ−ＸＸＸ」であった場合、対応情報２２１を参照し、上記の消耗品情報（エンジンオイル）、消耗品情報（オイルフィルタ）、消耗品情報（トランスミッションオイル）、及び消耗品情報（バッテリ）を適正消耗品情報として取得し、タブレット端末３へ送信する（ステップＳ５）。
【００５６】
次に、タブレット端末３では、表示処理部３１２によって、サーバ装置２から送信された適正消耗品情報Ｇ２２が、タッチパネルディスプレイ３３の表示画面Ｇ２に表示される（ステップＳ６）。表示画面Ｇ２の保存ボタンＢ１がタッチされると、適正消耗品情報Ｇ２２が制御部３１の記憶部に記憶される。
【００５７】
次に、表示処理部３１２は、ユーザが購入する商品種別を選択するための商品種別選択画面Ｇ３をタッチパネルディスプレイ３３に表示させる（ステップＳ７）。図５は、商品種別選択画面Ｇ３の一例を示す画面図である。商品種別選択画面Ｇ３には、「オイル」、「オイルフィルタ」、「バッテリ」、「タイヤ」、「ワイパー」の各商品種別がボタン表示されて選択可能にされている。商品種別選択画面Ｇ３には、「オイル交換」、「エレメント交換」、及び「車検」の各作業項目も、ボタン表示されて選択可能にされている。
【００５８】
表示処理部３１２は、タッチ選択された商品種別の商品（消耗品）の選択画面をタッチパネルディスプレイ３３に表示させる（ステップＳ８）。例えばユーザが「オイル」ボタンをタッチすると、表示処理部３１２は、例えば図６に示すオイル選択画面Ｇ４をタッチパネルディスプレイ３３に表示させる。
【００５９】
図６に示すオイル選択画面Ｇ４では、消耗品情報（エンジンオイル）の適正消耗品情報で推奨される「０Ｗ−２０」及び「５Ｗ−２０」のオイルの他、適正消耗品情報の推奨オイルではない「０Ｗ−５０」、「５Ｗ−３０」、「５Ｗ−４０」、及び「１０Ｗ−３０」のオイルについても価格と共にタッチ選択可能にボタン表示されている。そして、適正消耗品情報で推奨される「０Ｗ−２０」及び「５Ｗ−２０」のオイルについては、これらを推奨する旨の推奨表示Ｇ４１として「おすすめ」表示がされている。推奨表示Ｇ４１によって、適正消耗品情報で推奨される商品が選択容易にされている。なお、表示される消耗品情報には、具体的な商品型式、商品名、メーカ名等が含まれていてもよい。
【００６０】
このように、適正消耗品情報で推奨される商品（消耗品）を含む複数の商品を選択可能に表示させ、適正消耗品情報で推奨される商品に対して推奨表示Ｇ４１を行うことによって、ユーザの車両に適したオイルを自動的に推奨すると共に、ユーザの希望により適正消耗品情報で推奨される商品以外の商品も選択可能とされている。
【００６１】
オイルについては、適正消耗品情報に「油量Ｌ：５．９０」が含まれているので、例えばオイル購入量の初期値が５．９０Ｌとされ、図略の変更画面で必要に応じてオイル購入量を変更可能にされている。オイル購入量の初期値を自動的に適正消耗品情報の油量とすることにより、ユーザが自分の車両に適切な量のオイルを購入することが容易にされている。
【００６２】
また、例えばユーザが商品種別選択画面Ｇ３の「オイルフィルタ」ボタンをタッチすると、表示処理部３１２は、例えば図７に示すオイルフィルタ選択画面Ｇ５をタッチパネルディスプレイ３３に表示させる。
【００６３】
図７に示すオイルフィルタ選択画面Ｇ５は、選択表示部Ｇ５１と、選択肢表示部Ｇ５２と、決定ボタンＢ５とを含んでいる。表示処理部３１２は、選択済みのオイルフィルタ（消耗品）を選択表示部Ｇ５１に表示し、選択可能な他のオイルフィルタ（消耗品）を選択肢表示部Ｇ５２に表示する。表示処理部３１２は、初期状態で、適正消耗品情報で推奨される商品（消耗品）である「ＥＯ１０」を選択表示部Ｇ５１に表示する。
【００６４】
選択肢表示部Ｇ５２は、ユーザがタッチして指を上下にスライドさせると他の選択肢が表示されるロータリ形式の選択表示となっている。選択肢表示部Ｇ５２の商品表示をタッチすることにより、その商品が選択されて選択表示部Ｇ５１に表示される。決定ボタンＢ５がタッチされると、選択表示部Ｇ５１に表示された商品の選択が決定される。
【００６５】
このように、適正消耗品情報で推奨される商品を予め選択された状態で表示することによって、ユーザが適正消耗品情報で推奨される商品を選択することが容易にされている。なお、オイル選択画面Ｇ４、オイルフィルタ選択画面Ｇ５は、それぞれオイル、オイルフィルタの選択に用いられる例に限られず、同様の選択方法により他の商品（消耗品）の選択に用いられてもむろんよい。
【００６６】
次に、金額算出部３１３は、選択（選択決定）された商品の価格の合計金額を算出し、表示処理部３１２は、タッチパネルディスプレイ３３によって、例えば図８に示す見積金額画面Ｇ６に、その選択（選択決定）された商品の一覧と、各商品の価格と、金額算出部３１３で算出された合計金額Ｇ６１と、選択（選択決定）された商品の購入指示を受け付けるための確定ボタンＢ６とを表示させる（ステップＳ９）。確定ボタンＢ６は、例えば保存ボタン等、他の名称であってもよい。
【００６７】
以上、ステップＳ１〜Ｓ９の処理により、ユーザは、車検証の二次元コードをタブレット端末３で撮像することにより、自分の車両に適した消耗品を容易に選択することができる。また、その購入金額が自動的に計算されるので、店舗の店員にとっても利便性が向上する。
【００６８】
確定ボタンＢ６がタッチされると（ステップＳ１０でＹＥＳ）、購入指示受付部３１４は、選択（選択決定）された商品の購入指示を受け付ける。また、購入指示受付部３１４は、購入を受け付けた商品を示す消耗品情報、及びその購入数量を示す情報を、サーバ装置２へ送信する（ステップＳ１１）。
【００６９】
次に、サーバ装置２では、在庫処理部２１３によって、タブレット端末３から送信された消耗品情報、及びその購入数量を示す情報に基づいて、その送信元のタブレット端末３が設置されている店舗の在庫情報２４１から、その消耗品（消耗品情報）の数量が減算され（ステップＳ１２）、処理を終了する。これにより、各店舗は、消耗品管理システム１を用いて消耗品の販売を行うことによって、各店舗の在庫管理を自動的に行うことが可能になる。
【００７０】
なお、端末装置としてタブレット端末を用いる例を示したが、端末装置はパーソナルコンピュータその他の端末装置であってもよい。また、消耗品管理システム１は、サーバ装置を備えていなくてもよく、端末装置が適正消耗品情報取得部２１１、在庫処理部２１３、対応情報記憶部２２、及び在庫記憶部２４を備えていてもよい。また、金額算出部３１３は、サーバ装置２に設けられていてもよい。また、消耗品管理システム１は、在庫処理部２１３及び在庫記憶部２４を備えていなくてもよく、消耗品情報は消耗品の価格情報を含んでいなくてもよい。また、型式情報取得部３１１をサーバ装置２に設け、タブレット端末３は、カメラ３２で撮像された二次元コードをサーバ装置２へ送信し、サーバ装置２側で型式情報取得部３１１によって二次元コードから型式情報が取得されるようにしてもよい。
【符号の説明】
【００７１】
１    消耗品管理システム
２    サーバ装置
３，３Ａ，３Ｂ，３Ｃ    タブレット端末（端末装置）
４    ネットワーク
２１，３１  制御部
２２  対応情報記憶部
２４  在庫記憶部
２５，３４  通信回路
３２  カメラ（読取部）
３３  タッチパネルディスプレイ（表示装置）
２１１      適正消耗品情報取得部
２１３      在庫処理部
２２１      対応情報
２４１，２４１Ａ，２４１Ｂ，２４１Ｃ      在庫情報
３１１      型式情報取得部
３１２      表示処理部
３１３      金額算出部
３１４      購入指示受付部
Ａ，Ｂ，Ｃ  ガソリンスタンド（店舗）
Ｂ１  保存ボタン
Ｂ５  決定ボタン
Ｂ６  確定ボタン
Ｇ１  読取画面
Ｇ１１      撮像画面
Ｇ１２      操作ガイド表示
Ｇ２  表示画面
Ｇ２１      車両情報
Ｇ２２      適正消耗品情報
Ｇ３  商品種別選択画面
Ｇ４  オイル選択画面
Ｇ４１      推奨表示
Ｇ５  オイルフィルタ選択画面
Ｇ５１      選択表示部
Ｇ５２      選択肢表示部
Ｇ６  見積金額画面
Ｇ６１      合計金額
【図１】
2018128774.tif 000003
【図２】
2018128774.tif 000004
【図３】
2018128774.tif 000005
【図４】
2018128774.tif 000006
【図５】
2018128774.tif 000007
【図６】
2018128774.tif 000008
【図７】
2018128774.tif 000009
【図８】
2018128774.tif 000010
【図９】
2018128774.tif 000011